(57)【要約】【課題】入浴者が浴室内（特に浴槽内）にて心機能に異常をきたした場合、脈拍もしくは血圧値がどのような異常な状況に至っていたかをリモコンを利用して知ることにより、浴室内、浴槽内の事故を未然に防ぐ。【解決手段】入浴者の脈拍に応じた信号を発信する脈拍信号発信機１と、この脈拍信号発信機１からの信号を間接もしくは直接受信することができる受信機と、この受信機で受信した脈拍信号を記録するメモリー素子５と、このメモリー素子５を着脱自在に収納するメモリー素子書き込み器４とを備え、前記受信機とメモリー素子書き込み器４を有線式リモコン２に内蔵し、少なくとも脈拍信号発信機１から信号が発信されたときは優先してメモリー素子５への書き込み作業を行う。【選択図】  図１
2004166908.tif 000002
【特許請求の範囲】
【請求項１】
浴槽にお湯を供給するふろ給湯器と、このふろ給湯器の運転指示を行う有線式リモコンと、入浴者の脈拍に応じた信号を発信する脈拍信号発信機と、この脈拍信号発信機の脈拍信号を間接もしくは直接受信することができる受信機と、この受信機で受信した脈拍信号を記録するメモリー素子と、このメモリー素子を着脱自在に収納するメモリー素子書き込み器とを備え、前記受信機と前記メモリー素子書き込み器を前記有線式リモコンに内蔵し、少なくとも前記脈拍信号発信機から脈拍信号が発信されたときは優先してメモリー素子への書き込み作業を行うようにしたことを特徴とするふろ給湯装置。
【請求項２】
浴槽にお湯を供給するふろ給湯器と、このふろ給湯器の運転指示を行う有線式リモコンと、入浴者の血圧値に応じた信号を発信する血圧値信号発信機と、この血圧値信号発信機の血圧値信号を間接もしくは直接受信することができる受信機と、この受信機で受信した血圧値信号を記録するメモリー素子と、このメモリー素子を着脱自在に収納するメモリー素子書き込み器とを備え、前記受信機と前記メモリー素子書き込み器を前記有線式リモコンに内蔵し、少なくとも前記血圧値信号発信機から血圧値信号が発信されたときは優先してメモリー素子への書き込み作業を行うようにしたことを特徴とするふろ給湯装置。
【請求項３】
浴槽にお湯を供給するふろ給湯器と、このふろ給湯器の運転指示を行う無線式リモコンと、入浴者の脈拍に応じた信号を発信する脈拍信号発信機と、この脈拍信号発信機の脈拍信号を間接もしくは直接受信することができる受信機と、この受信機で受信した脈拍信号を記録するメモリー素子と、このメモリー素子を着脱自在に収納するメモリー素子書き込み器とを備え、前記受信機と前記メモリー素子書き込み器を前記無線式リモコンに内蔵し、少なくとも前記脈拍信号発信機から脈拍信号が発信されたときは優先してメモリー素子への書き込み作業を行うようにしたことを特徴とするふろ給湯装置。
【請求項４】
浴槽にお湯を供給するふろ給湯器と、このふろ給湯器の運転指示を行う無線式リモコンと、入浴者の血圧値に応じた信号を発信する血圧値信号発信機と、この血圧値信号発信機の血圧値信号を間接もしくは直接受信することができる受信機と、この受信機で受信した血圧値信号を記録するメモリー素子と、このメモリー素子を着脱自在に収納するメモリー素子書き込み器とを備え、前記受信機と前記メモリー素子書き込み器を前記無線式リモコンに内蔵し、少なくとも前記血圧値信号発信機から血圧値信号が発信されたときは優先してメモリー素子への書き込み作業を行うようにしたことを特徴とするふろ給湯装置。
【発明の詳細な説明】
【０００１】
【発明の属する技術分野】
本発明は、ふろ給湯機に対してリモコンにより遠隔操作するふろ給湯装置に関するものである。
【０００２】
【従来の技術】
従来この種のふろ給湯装置においては、入浴前の心拍数と入浴中の心拍数の変化を専用の健康診断器で判定し健康チェックを行うものがある（例えば、特許文献１参照）。
【０００３】
【特許文献１】
特開平０６−２２５８５８号公報
【０００４】
【発明が解決しようとする課題】
しかしながら、従来装置では専用の健康診断器を別途設ける必要があり、構成が複雑になったり、コストが高くなるという課題があった。
【０００５】
本発明は上記課題を解決するもので、ふろ給湯器のリモコンを用いた簡素な構成で、入浴中の健康チェックを行い浴室（浴槽）内での事故を未然に防止することを目的としたものである。
【０００６】
【課題を解決するための手段】
本発明は、上記課題を解決するため、第１の発明は、入浴者の脈拍に応じた信号を発信する脈拍信号発信機からの脈拍信号を受信する受信機と、受信した脈拍信号を記録するメモリー素子を着脱自在に収納するメモリー素子書き込み器をふろ給湯器の有線式リモコンに内蔵し、少なくとも前記脈拍信号発信機から脈拍信号が発信されたときは優先してメモリー素子への書き込み作業を行うようにしたもので、専用の健康チェッカーを別途設ける必要がなく、構成の簡素化が図れるとともに、入力時の脈拍変化を確実に記録することができ、かつメモリー素子を介してデータの持ち運びが可能となり、パソコン等へのデータ移動も簡単に行えるため、早急な医師の判断を得ることも可能となる。
【０００７】
第２の発明は、入浴者の血圧値信号を発信する血圧値信号発信機からの血圧値に応じた信号を受信する受信機と、受信した血圧値信号を記録するメモリー素子を着脱自在に収納するメモリー素子書き込み器をふろ給湯器の有線式リモコンに内蔵し、少なくとも前記血圧値信号発信機から血圧値信号が発信されたときは優先してメモリー素子への書き込み作業を行うようにしたもので、専用の健康チェッカーを別途設ける必要がなく、構成の簡素化が図れるとともに、入力時の血圧値変化を確実に記録することができ、かつメモリー素子を介してデータの持ち運びが可能となり、パソコン等へのデータ移動も簡単に行えるため、早急な医師の判断を得ることも可能となる。
【０００８】
第３の発明によれば第１の発明と同様のことが言えるとともに、さらには無線式リモコンであるためリモコンの設置が簡単に行えるとともに、設置場所の自由度を増すことが可能となる。
【０００９】
第４の発明によれば第２の発明と同様のことが言えるとともに、さらには無線式リモコンであるため、第３の発明と同様のことが可能となる。
【００１０】
【発明の実施の形態】
本発明の請求項１に記載の発明は、浴槽にお湯を供給するふろ給湯器と、このふろ給湯器の運転指示を行う有線式リモコンと、入浴者の脈拍に応じた信号を発信する脈拍信号発信機と、この脈拍信号発信機の脈拍信号を間接もしくは直接受信することができる受信機と、この受信機で受信した脈拍信号を記録するメモリー素子と、このメモリー素子を着脱自在に収納するメモリー素子書き込み器とを備え、前記受信機と前記メモリー素子書き込み器を前記有線式リモコンに内蔵し、少なくとも前記脈拍信号発信機から脈拍信号が発信されたときは優先してメモリー素子への書き込み作業を行うようにしたことを特徴とするふろ給湯装置である。
【００１１】
上記発明によれば、入浴者の例えば耳や頭部に取付けられた脈拍信号発信機は、その入浴者の脈拍に応じた信号を発信し、この発信信号を、ふろ給湯器に運転指示するために浴室内に設置されている有線式リモコンに内蔵された受信機が受信してメモリー素子に書き込むため、入浴者の脈拍の異変を確実に記録することが出来る。そして、その入浴者の脈拍の変化データをもとにして、医師による適切な診断・入浴指導が受けられることとなり、浴室（浴槽）での入浴者の事故を未然に防ぐことに繋がるものである。また、メモリー素子が有線式リモコンのメモリー素子書き込み器に対して着脱自在に収納されているため、データの持ち運びが可能となり、パソコンへのデータ移動も簡単に行うことができる。
【００１２】
本発明の請求項２に記載の発明は、浴槽にお湯を供給するふろ給湯器と、このふろ給湯器の運転指示を行う有線式リモコンと、入浴者の血圧値に応じた信号を発信する血圧値信号発信機と、この血圧値信号発信機の血圧値信号を間接もしくは直接受信することができる受信機と、この受信機で受信した血圧値信号を記録するメモリー素子と、このメモリー素子を着脱自在に収納するメモリー素子書き込み器とを備え、前記受信機と前記メモリー素子書き込み器を前記有線式リモコンに内蔵し、少なくとも前記血圧値信号発信機から血圧値信号が発信されたときは優先してメモリー素子への書き込み作業を行うようにしたことを特徴とするふろ給湯装置である。
【００１３】
上記発明によれば、入浴者の例えば耳や頭部に取付けられた血圧値信号発信機は、その入浴者の血圧値に応じた信号を発信し、この発信信号を、ふろ給湯器に運転指示するために浴室内に設置されている有線式リモコンに内蔵された受信機が受信してメモリー素子に書き込むため、入浴者の血圧値の異変を確実に記録することが出来る。そして、その入浴者の血圧値の変化データをもとにして、医師による適切な診断・入浴指導が受けられることとなり、浴室（浴槽）での入浴者の事故を未然に防ぐことに繋がるものである。また、メモリー素子が有線式リモコンのメモリー素子書き込み器に対して着脱自在に収納されているため、データの持ち運びが可能となり、パソコンへのデータ移動も簡単に行うことができる。
【００１４】
本発明の請求項３に記載の発明は、浴槽にお湯を供給するふろ給湯器と、このふろ給湯器の運転指示を行う無線式リモコンと、入浴者の脈拍に応じた信号を発信する脈拍信号発信機と、この脈拍信号発信機の脈拍信号を間接もしくは直接受信することができる受信機と、この受信機で受信した脈拍信号を記録するメモリー素子と、このメモリー素子を着脱自在に収納するメモリー素子書き込み器とを備え、前記受信機と前記メモリー素子書き込み器を前記無線式リモコンに内蔵し、少なくとも前記脈拍信号発信機から脈拍信号が発信されたときは優先してメモリー素子への書き込み作業を行うようにしたことを特徴とするふろ給湯装置である。
【００１５】
上記発明によれば、入浴者の例えば耳や頭部に取付けられた脈拍信号発信機は、その入浴者の脈拍に応じた信号を発信し、この発信信号を、ふろ給湯器に運転指示するために浴室内に設置されている無線式リモコンに内蔵された受信機が受信してメモリー素子に書き込むため、入浴者の脈拍の異変を確実に記録することが出来る。そして、その入浴者の脈拍の変化データをもとにして、医師による適切な診断・入浴指導が受けられることとなり、浴室（浴槽）での入浴者の事故を未然に防ぐことに繋がるものである。また、メモリー素子が無線式リモコンのメモリー素子書き込み器に対して着脱自在に収納されているため、データの持ち運びが可能となり、パソコンへのデータ移動も簡単に行うことができる。さらには無線式リモコンであるためリモコンの設置が簡単に行えるとともに、設置場所の自由度を増すことが可能となる。
【００１６】
本発明の請求項４に記載の発明は、浴槽にお湯を供給するふろ給湯器と、このふろ給湯器の運転指示を行う無線式リモコンと、入浴者の血圧値に応じた信号を発信する血圧値信号発信機と、この血圧値信号発信機の血圧値信号を間接もしくは直接受信することができる受信機と、この受信機で受信した血圧値信号を記録するメモリー素子と、このメモリー素子を着脱自在に収納けるメモリー素子書き込み器とを備え、前記受信機と前記メモリー素子書き込み器を前記無線式リモコンに内蔵し、少なくとも前記血圧値信号発信機から血圧値信号が発信されたときは優先してメモリー素子への書き込み作業を行うようにしたことを特徴とするふろ給湯装置である。
【００１７】
上記発明によれば、入浴者の例えば耳や頭部に取付けられた血圧値信号発信機は、その入浴者の血圧値に応じた信号を発信し、この発信信号を、ふろ給湯器に運転指示するために浴室内に設置されている無線式リモコンに内蔵された受信機が受信してメモリー素子に書き込むため、入浴者の血圧値の異変を確実に記録することが出来る。そして、その入浴者の血圧値の変化データをもとにして、医師による適切な診断・入浴指導が受けられることとなり、浴室（浴槽）での入浴者の事故を未然に防ぐことに繋がるものである。また、メモリー素子が無線式リモコンのメモリー素子書き込み器に対して着脱自在に収納されているため、データの持ち運びが可能となり、パソコンへのデータ移動も簡単に行うことができる。さらには無線式リモコンであるためリモコンの設置が簡単に行えるとともに、設置場所の自由度を増すことが可能となる。
【００１８】
【実施例】
以下、本発明の実施例について図１〜図４を用いて説明する。
【００１９】
（実施例１）
図１は本発明の実施例１のふろ給湯装置システムのブロック図である。
【００２０】
図において、１は、入浴者の脈拍に応じた信号を発信する脈拍信号発信機であり、２は、脈拍信号発信機１の脈拍信号を、図示しない受信機により間接もしくは直接受信することができる有線式リモコンであり、３は、有線式リモコン２により運転指示されるふろ給湯器であり、５は、脈拍信号発信機１から送信されてきた脈拍信号を記録する板状のメモリー素子であり、４は、メモリー素子５を着脱自在に収納するメモリー素子書き込み器であり、有線式リモコン２に、図示しない受信機とともに内蔵される。
【００２１】
次に、この給湯装置システムの動作作用について説明する。入浴者（例えば、入浴者の耳や頭部）に取付けられた脈拍信号発信機１は、入浴者の脈拍信号を有線式リモコン２に発信する。有線式リモコン２はその脈拍信号を前記受信機により受信すると、優先してメモリー素子書き込み器４にてメモリー素子５に信号データとして書き込み記録する。もし、入浴者が何らかの身体の異変により脈拍が異常となった場合、この入浴時のメモリー素子５に記録された脈拍データをもとに医師により適切な判断が受けられることとなる。
【００２２】
（実施例２）
図２は本発明の実施例２のふろ給湯装置システムのブロック図である。
【００２３】
実施例１と異なる点は、脈拍信号発信機１の代わりに、入浴者の血圧値に応じた信号を発信する血圧値信号発信機６を設けた点にある。尚、図１と共通する部分には同符号を付し、その説明は省略する。
【００２４】
実施例２の給湯装置システムの動作作用について説明する。入浴者（例えば、入浴者の耳や頭部）に取付けられた血圧値信号発信機６は、入浴者の血圧値信号を有線式リモコン２に発信する。有線式リモコン２はその血圧値信号を前記受信機により受信すると、優先してメモリー素子書き込み器４にてメモリー素子５に信号データとして書き込み記録する。もし、入浴者が何らかの身体の異変により血圧値が異常となった場合、この入浴時のメモリー素子５に記録された血圧値データをもとに医師により適切な判断が受けられることとなる。
【００２５】
（実施例３）
図３は本発明の実施例３のふろ給湯装置システムのブロック図である。
【００２６】
実施例１と異なる点は、有線式リモコン２の代わりに、無線式リモコン７を設けた点にある。尚、図１と共通する部分には同符号を付し、その説明は省略する。
【００２７】
実施例３の給湯装置システムの動作作用について説明する。入浴者（例えば、入浴者の耳や頭部）に取付けられた脈拍信号発信機１は、入浴者の脈拍信号を無線式リモコン７に発信する。無線式リモコン７はその脈拍信号を前記受信機により受信すると、優先してメモリー素子書き込み器４にてメモリー素子５に信号データとして書き込み記録する。もし、入浴者が何らかの身体の異変により脈拍が異常となった場合、この入浴時のメモリー素子に記録された脈拍データをもとに医師により適切な判断が受けられることとなる。さらには無線式リモコンであるためリモコンの設置が簡単に行えるとともに、設置場所の自由度を増すことが可能となる。
【００２８】
（実施例４）
図４は本発明の実施例４のふろ給湯装置システムのブロック図である。
【００２９】
実施例１と異なる点は、脈拍信号発信機１の代わりに、入浴者の血圧値に応じた信号を発信する血圧値信号発信機６を設けると共に、有線式リモコン２の代わりに、無線式リモコン７を設けた点にある。尚、図１と共通する部分には同符号を付し、その説明は省略する。
【００３０】
実施例４の給湯装置システムの動作作用について説明する。入浴者（例えば、入浴者の耳や頭部）に取付けられた血圧値信号発信機６は、入浴者の血圧値信号を無線式リモコン７に発信する。無線式リモコン７はその血圧値信号を前記受信機により受信すると、優先してメモリー素子書き込み器４にてメモリー素子５に信号データとして書き込み記録する。もし、入浴者が何らかの身体の異変により血圧値が異常となった場合、この入浴時のメモリー素子に記録された血圧値データをもとに医師により適切な判断が受けられることとなる。さらには無線式リモコンであるためリモコンの設置が簡単に行えるとともに、設置場所の自由度を増すことが可能となる。
【００３１】
【発明の効果】
以上のように本発明によれば、入浴者に取付けた脈拍信号発信機あるいは血圧値信号発信機からの信号をリモコンに内蔵された受信機で受信し、同じく内蔵されたメモリー素子書き込み器のメモリー素子に脈拍信号データあるいは血圧値信号データとして記録することによって、入浴者が入浴中に脈拍あるいは血圧値に異常をきたした場合、この脈拍データあるいは血圧値データをもとに医師の適切な判断を受けられることとなるとともに、浴室（浴槽）での入浴者の事故を未然に防ぐことにも繋がるものである。また同様にして各信号データを無線式リモコンにて受信するようにすれば、リモコンの設置が簡単に行えるとともに、設置場所の自由度を増すことが可能となる。
【図面の簡単な説明】
【図１】本発明の実施例１におけるふろ給湯装置システムを示すブロック図。
【図２】本発明の実施例２におけるふろ給湯装置システムを示すブロック図。
【図３】本発明の実施例３におけるふろ給湯装置システムを示すブロック図。
【図４】本発明の実施例４におけるふろ給湯装置システムを示すブロック図。
【符号の説明】
１  脈拍信号発信機
２  有線式リモコン
３  ふろ給湯器
４  メモリー素子書き込み器
５  メモリー素子
６  血圧値信号発信機
７  無線式リモコン
【図１】
2004166908.tif 000003
【図２】
2004166908.tif 000004
【図３】
2004166908.tif 000005
【図４】
2004166908.tif 000006